(57)【要約】【課題】  本発明は、ユーザが、録画番組（過去）と、現在放送中の番組（現在）と、次の放送番組（未来）とをスムーズに選択できる操作性に優れた記録再生装置を提供することを目的とする。【解決手段】  本発明の記録再生装置は、録画した映像情報の番組情報の一覧を表示させるためのアイコンと、現時刻で視聴可能な映像情報の一覧を表示させるアイコンと、現時刻以降に放送開始時間を迎える映像情報の一覧を表示させるアイコンとを、画面の一部に同時に表示させるように出力させることを特徴とする。【選択図】      図２
2007324762.tif 000002
【特許請求の範囲】
【請求項１】
映像情報を記録，再生するとともに、前記映像情報に関する番組情報の一覧を表示可能に出力する記録再生装置であって、
前記記録再生装置に録画した前記映像情報の番組情報の一覧を表示させるためのアイコンと、現時刻で視聴可能な映像情報の一覧を表示させるアイコンと、現時刻以降に放送開始時間を迎える映像情報の一覧を表示させるアイコンとを、画面の一部に同時に表示させるように出力させることを特徴とする記録再生装置。
【請求項２】
映像情報を記録，再生するとともに、前記映像情報に関する番組情報の一覧を表示可能に出力する記録再生装置であって、
前記記録再生装置に録画した前記映像情報の番組情報の一覧を表示させるためのアイコンと、現時刻で視聴可能な映像情報の一覧を表示させるアイコンと、現時刻以降に放送開始時間を迎える映像情報の一覧を表示させるアイコンとを、画面の一部に同時に表示させるように出力させるとともに、
前記現時刻で視聴可能な映像情報の一覧を表示させるアイコンが操作されたことを検出すると、該一覧を前記画面の一部に表示させるように出力させることを特徴とする記録再生装置。
【請求項３】
映像情報を記録，再生するとともに、前記映像情報に関する番組情報の一覧を表示可能に出力する記録再生装置であって、
前記記録再生装置に録画した前記映像情報の番組情報の一覧を表示させるためのアイコンと、現時刻で視聴可能な映像情報の一覧を表示させるアイコンと、現時刻以降に放送開始時間を迎える映像情報の一覧を表示させるアイコンとを、画面の一部に同時に表示させるように出力させるとともに、
前記記録再生装置に録画した前記映像情報の番組情報を表示させるためのアイコンが操作されたことを検出すると、該一覧を前記画面の一部に表示させるように出力させることを特徴とする記録再生装置。
【請求項４】
前記記録再生装置に録画した前記映像情報の番組情報の一覧の表示の際、未再生の映像情報に対して、マークを付して表示させるように出力させることを特徴とする請求項３記載の記録再生装置。
【請求項５】
映像情報を記録，再生するとともに、前記映像情報に関する番組情報の一覧を表示可能に出力する記録再生装置であって、
前記記録再生装置に録画した前記映像情報の番組情報の一覧を表示させるためのアイコンと、現時刻で視聴可能な映像情報の一覧を表示させるアイコンと、現時刻以降に放送開始時間を迎える映像情報の一覧を表示させるアイコンとを、画面の一部に同時に表示させるように出力させるとともに、
前記現時刻以降に放送開始時間を迎える映像情報の一覧を表示させるアイコンが操作されたことを検出すると、該一覧を前記画面の一部に表示させるように出力させることを特徴とする記録再生装置。
【請求項６】
前記現時刻以降に放送開始時間を迎える映像情報の一覧の表示の際、予約録画済の映像情報に対して、マークを付して表示させるように出力させることを特徴とする請求項５記載の記録再生装置。
【発明の詳細な説明】
【技術分野】
【０００１】
本発明は、映像情報を記録，再生可能な記録再生装置に関する。
【背景技術】
【０００２】
所望の番組を選択するための電子番組ガイド(EPG：Electronic Program Guide)を番組とともに伝送し、これをモニタ装置に表示して表示させ、ユーザが表示された電子番組ガイドを用いて、視聴，予約録画，録画を行うことができる映像記録再生装置が知られている。
【０００３】
そして、現在番組表と次に放送予定の番組表は、共に表示手段の画面において現在表示されている現在画像に重ねて表示され、現在番組表を表示した状態では、現在画像が現在放送中の番組表を通して透けて見え、次に放送予定の番組表を表示した状態では、次に放送予定の番組表が現在画像の一部分を隠す番組内容表示装置である。また、現在番組表と次に放送予定の番組表においては、それぞれ各番組タイトルが配列されており、各番組タイトルには、各番組タイトルに関する放送経過時間を表示面積の大小で表示する放送経過時間表示部を有する番組内容表示装置が知られている。
【特許文献１】特開平11-266408号公報
【発明の開示】
【発明が解決しようとする課題】
【０００４】
しかし、従来の装置は、現在の番組表と次に放送予定の番組表とは取り扱っているが、過去(録画済の番組)を同様に取り扱うことは考慮されていないため、ユーザの操作性が劣るという問題点があった。
【０００５】
本発明は、ユーザが、録画番組（過去）と、現在放送中の番組（現在）と、次の放送番組（未来）とをスムーズに選択できる操作性に優れた記録再生装置を提供することを目的とする。
【課題を解決するための手段】
【０００６】
上記目的を達成するために、本発明の記録再生装置は、
映像情報を記録，再生するとともに、前記映像情報に関する番組情報の一覧を表示可能に出力する記録再生装置であって、
前記記録再生装置に録画した前記映像情報の番組情報の一覧を表示させるためのアイコンと、現時刻で視聴可能な映像情報の一覧を表示させるアイコンと、現時刻以降に放送開始時間を迎える映像情報の一覧を表示させるアイコンとを、画面の一部に同時に表示させるように出力させることを特徴とする。
【０００７】
そして、過去(録画済の映像情報)と、現在(現時刻で視聴可能な放送)と、未来(現時刻以降に放送開始予定の映像情報)との各番組情報を、同一画面から呼び出すことができるとともに、一覧を表示させることができるので、視聴や再生，予約などの操作をスムーズに選択できき、操作性に優れる。
【０００８】
また、映像情報を記録，再生するとともに、前記映像情報に関する番組情報の一覧を表示可能に出力する記録再生装置であって、
前記記録再生装置に録画した前記映像情報の番組情報の一覧を表示させるためのアイコンと、現時刻で視聴可能な映像情報の一覧を表示させるアイコンと、現時刻以降に放送開始時間を迎える映像情報の一覧を表示させるアイコンとを、画面の一部に同時に表示させるように出力させるとともに、
【０００９】
前記現時刻で視聴可能な映像情報の一覧を表示させるアイコンが操作されたことを検出すると、該一覧を前記画面の一部に表示させるように出力させることを特徴とする。
【００１０】
そして、過去(録画済の映像情報)と、現在(現時刻で視聴可能な放送)と、未来(現時刻以降に放送開始予定の映像情報)との各番組情報を、同一画面から呼び出すことができるとともに、この中から現時刻で視聴可能な番組情報の一覧を表示させることができるので、簡易に視聴選択操作ができる。
【００１１】
また、映像情報を記録，再生するとともに、前記映像情報に関する番組情報の一覧を表示可能に出力する記録再生装置であって、
前記記録再生装置に録画した前記映像情報の番組情報の一覧を表示させるためのアイコンと、現時刻で視聴可能な映像情報の一覧を表示させるアイコンと、現時刻以降に放送開始時間を迎える映像情報の一覧を表示させるアイコンとを、画面の一部に同時に表示させるように出力させるとともに、
【００１２】
前記記録再生装置に録画した前記映像情報の番組情報を表示させるためのアイコンが操作されたことを検出すると、該一覧を前記画面の一部に表示させるように出力させることを特徴とする。
【００１３】
そして、過去(録画済の映像情報)と、現在(現時刻で視聴可能な放送)と、未来(現時刻以降に放送開始予定の映像情報)との各番組情報を、同一画面から呼び出すことができるとともに、この中で録画済の映像情報の一覧を表示させることができるので、簡易に再生選択操作ができる。
【００１４】
さらに、前記記録再生装置に録画した前記映像情報の番組情報の一覧の表示の際、未再生の映像情報に対して、マークを付して表示させるように出力させることを特徴とする。
【００１５】
そして、過去(録画済の映像情報)と、現在(現時刻で視聴可能な放送)と、未来(現時刻以降に放送開始予定の映像情報)との各番組情報を、同一画面から呼び出すことができるとともに、この中でどれが未再生か明示的にユーザに知らせることができる。
【００１６】
また、映像情報を記録，再生するとともに、前記映像情報に関する番組情報の一覧を表示可能に出力する記録再生装置であって、
前記記録再生装置に録画した前記映像情報の番組情報の一覧を表示させるためのアイコンと、現時刻で視聴可能な映像情報の一覧を表示させるアイコンと、現時刻以降に放送開始時間を迎える映像情報の一覧を表示させるアイコンとを、画面の一部に同時に表示させるように出力させるとともに、
【００１７】
前記現時刻以降に放送開始時間を迎える映像情報の一覧を表示させるアイコンが操作されたことを検出すると、該一覧を前記画面の一部に表示させるように出力させることを特徴とする。
【００１８】
そして、過去(録画済の映像情報)と、現在(現時刻で視聴可能な放送)と、未来(現時刻以降に放送開始予定の映像情報)との各番組情報を、同一画面から呼び出すことができるとともに、この中で未来の映像情報の一覧を表示させることができるので、簡易に視聴，予約選択操作ができる。
【００１９】
さらに、前記現時刻以降に放送開始時間を迎える映像情報の一覧の表示の際、予約録画済の映像情報に対して、マークを付して表示させるように出力させることを特徴とする。
【００２０】
そして、過去(録画済の映像情報)と、現在(現時刻で視聴可能な放送)と、未来(現時刻以降に放送開始予定の映像情報)との各番組情報を、同一画面から呼び出すことができるとともに、この中でどれが予約録画設定済か明示的にユーザに知らせることができ、他の番組の予約を行うか否かをスムーズに行うことができる。
【発明の効果】
【００２１】
本発明によれば、ユーザは、録画番組（過去）と、現在放送中の番組（現在）と、次の放送番組（未来）を区別なく選択し、視聴や再生，予約などの操作をスムーズに選択できき、操作性に優れる。
【発明を実施するための最良の形態】
【００２２】
以下、図面を参照して本発明の実施の形態を説明する。
図１は、本発明に係る実施形態を備えた記録再生装置1の概略ブロック図である。図１を参照して記録再生装置１の構成例について説明する。本実施の形態の記録再生装置１としては、図示するようにして、制御部１１、ＲＯＭ１２、ＲＡＭ１３、操作部１４、ＴＶチューナー部１５、信号処理部１６、ハードディスクドライバ１７、メディアドライバ１８、およびリモートコントロール受信器２０をデータバス２１により接続して構成される。
【００２３】
記録再生装置１において、制御部１１は、例えばマイクロコンピュータを備えて構成され、記録再生装置１内の各機能回路部についての制御を実行する。ＲＯＭ１２には、制御部１１が実行すべきプログラムや、初期設定情報などの所要の情報が格納される。なお、この場合のＲＯＭ１２は、電源供給が停止してもそれまでの記憶内容は保持されるとともに、書き換え可能なメモリ素子を用いて構成されているものとする。ＲＡＭ１３には、制御部１１が各種処理を実行する際に参照するデータや、制御部１１が処理過程において生成したデータなどが記憶保持される。
【００２４】
また、操作部１４は、例えば本体に設けられる操作子から成る。この操作部１４に対して行われた操作に応じて、制御部１１は所要の制御処理を実行する。更に、リモートコントロール装置３を用いて、記録再生装置１の制御が行われる。なお、制御は、リモートコントロール装置３からの信号がリモートコントロール受信機２０で受信され、その受信信号が制御部１１に供給されて行われる。
【００２５】
ＴＶチューナー部は１５は、例えばアンテナ１５Ａにより受信した放送局の放送波を入力し、制御部１１の制御に指示に応じたチャンネルを選局する。このようにして受信選局された放送波は、例えばストリームデータとして信号処理部１６に出力される。信号処理部１６では、入力されたストリームデータから必要とされる番組（チャンネル）のデータを抽出して、例えば圧縮ビデオデータ（圧縮オーディオデータを含む）を得る。このようにして得られた圧縮ビデオデータは、例えば制御部１１の制御によって録画のためにハードディスクドライバ１７に転送され、記憶される。
【００２６】
なお、放送局の放送波には、番組(映像情報)に加えて、EPG情報として、各チャンネルの各番組それぞれの放送開始，終了時間，番組名等が含まれており、アンテナ15Aによりこれも受信し、RAM13やハードディスクドライブ17に順次記憶しておく。なお、EPG情報は、図示しないネットワークを介して取得してもよく、アンテナ15A経由と兼用，お互いに補完してもよい。
【００２７】
また、例えば操作部１４に対して再生操作が行われた場合には、制御部１１は、ハードディスクドライバ１７に記憶された録画ファイルのうちから再生指示された録画ファイルを検索し、この録画ファイルの読み出しが行われるように制御を実行する。このようにして読み出された録画ファイルとしての圧縮ビデオデータは、信号処理部１６に出力される。信号処理部１６は、圧縮ビデオデータをデコード（伸長）して出力する機能も備えており、デコード処理が施されることによって、例えば動画像信号と、この動画像信号に同期したオーディオ信号が得られる。そして、この場合には、動画像信号、及びオーディオ信号をＡＶ出力端子AVoutに出力する。例えばこれらのＡＶ出力端子AVoutを外部の映像装置５に接続すれば、この映像装置によってハードディスクドライブ１７から再生された録画番組としての画像音声が出力されることになる。
【００２８】
ハードディスクドライバ１７は、記録媒体としての所定容量のハードディスクを備えるととともに、このハードディスクにデータの書き込み及び読み出しを実行するドライバ部とから成る。周知のように、ハードディスクは、比較的大容量の記憶容量を容易に実現できるメディアであり、この場合にも、ハードディスクドライバ１７に備えられるハードディスクとしても、大容量とされる所定の記憶容量を有している。本実施の形態の場合、このハードディスクドライバ１７には、上述のようにしてＴＶチューナー部１５にて受信され、信号処理部１６にてエンコードされた、ビデオ信号データを録画番組ファイルとして管理した形式で記憶保存するようにされる。また、後述するメディアドライバ１８に装填されたディスクメディア２から読み出したデータも、ハードディスクドライバ１７に保存させることができる。さらには、制御部１１が実行すべきアプリケーションプログラムを記憶させておくようにもされる。
【００２９】
メディアドライバ１８は、ディスクメディア２に対応して記録再生を行うことのできるディスクドライバである。メディアドライバ１８に対するデータの書き込み及び読み出しも、制御部１１の制御によって実行される。
【００３０】
上記メディアドライバ１８によってディスクメディア２から読み出されるコンテンツデータとしては、例えば、番組録画によって得られたビデオ信号データも含まれる。そして、ディスクメディア２から読み出したビデオ信号データを再生出力するようにもされる。このために、信号処理部１６が設けられる。
【００３１】
信号処理部１６には、制御部１１の制御によって、例えばディスクドライバ１８から読み出されたビデオ・オーディオ信号データが転送される。信号処理部１６では、転送されてきたビデオ・オーディオ信号データについて所要の復調処理を施して、例えば動画像データと、この動画像信号に同期したオーディオ信号が得られる。そして、動画像信号、及びオーディオ信号をＡＶ出力端子AVoutに出力する。例えばこれらのＡＶ出力端子AVoutを外部の映像装置５に接続すれば、この映像装置によってディスクメディア２から再生された録画番組としての画像音声が出力されることになる。
【００３２】
次に、コンテンツ選択GUI(Graphical User Interface)について説明する。図２は、コンテンツ選択GUIを含む画面イメージ図である。図２に示すように、画面は、映像情報を表示する画面上部210とコンテンツ選択GUIを含め番組情報を表示する画面下部220とに分かれる。なお、画面上部210と画面下部210は、画面縦方向に略半分づつでもよいが、比率は任意に設定することができてもよい。
【００３３】
コンテンツ選択GUIは、図２に示すように、「録画番組」アイコン201、「今の番組」アイコン202、「次の番組」アイコン203を選択できる。これらは、それぞれ録画番組（過去）と、現在放送中の番組（現在）と、次の放送番組（未来）を意味し、これらを選択した場合、それぞれ以下のような表示を行う。
【００３４】
・「録画番組」を選択した場合、記録再生装置内に保存されているコンテンツの一覧を表示する。
・「今の番組」を選択した場合、現在放送中の番組の一覧を表示する。
・「次の番組」を選択した場合、現在放送中の番組の次の番組の一覧を表示する。
放送中の番組の視聴中に、コンテンツ選択GUIを表示させた場合(例えば、画面下部220の選択，決定アイコンに相当するキーを図示しないリモコンで操作する)、図２に示すように、「今の番組」アイコン202がハイライト表示されるとともに、番組情報表示領域230には、現在視聴中の番組を選択した状態でGUIが表示される。また、記録再生装置1内の録画コンテンツを再生中に、コンテンツ選択GUIを表示させた場合、「録画番組」アイコン201及び現在再生中のタイトルが選択された状態で表示される。
【００３５】
次に、コンテンツ選択GUIの「今の番組」アイコン202を選択した場合の処理について説明する。この時、番組情報表示領域230には、各チャンネルの番組開始時間順に、チャンネル，番組名，番組終了時間が表示される。なお、表示しきれない部分は、黒三角印に相当するキーを図示しないリモコンで操作することにより画面上下にスクロールすることができる。これらの番組情報は、上記したEPG情報から得られる。現在、ユーザが12chを視聴しているので、画面上部210には、12chの番組(ニュース＆マーケットイレブン)の画像(動画像)が表示されているとともに、選択している番組名250がハイライト表示されている。
【００３６】
図２で、ユーザがリモコン等で4chの番組にカーソルを合わせ、選択すると、図３に示すように、画面上部210には、4chの番組(なるトモ！  最新芸能人気ドラマの裏話…)の画像が表示されるとともに、番組情報表示領域230は、選択した番組名251がハイライト表示される。
【００３７】
なお、画面下部220の「終了」アイコンをリモコン等でクリックしない限り図２，図３の状態は続き、続けて番組を選択し、変更することができる。
但し、視聴の対象となる放送のチューナを用いて録画を行っている場合など、チャネルの切り換えが制限される場合は、この機能は使用できない。（複数のチューナーを備える場合は、その限りではない。）
【００３８】
図４は、「録画番組」アイコン201を選択した場合の画面イメージ図である。「録画番組」アイコン201を選択した場合、番組情報表示領域230には、記録再生装置1内に保存されているコンテンツの一覧を表示する。但し、タイトルのサムネイルは表示しない。なお、図４は、図３の状態から、図示しないリモコンで、「今の番組」アイコン202を選択している状態から、「録画番組」アイコン201を選択したため、画面上部210には、図３で表示していた4chの番組が表示されている。なお、「録画番組」アイコン201を選択した時点で、画面上部210の表示を一旦停止してもよい。
【００３９】
図４の番組情報表示領域230は、記録再生装置1内の例えばハードディスクドライバ17に保存されている番組を、録画日順に、No.(例えば、027等)，番組名，録画日を表示させることにより実現できる。
【００４０】
図４において、ユーザが一度も視聴したことがないコンテンツの場合、未再生を示す未再生マーク461，462(Newマーク)を表示する。これは、録画されたコンテンツが再生されたか否かを記録再生装置1でチェックしこの結果により表示されるか否かを選択する。図４の例では、No.027とNo.026が未視聴であることから、これらに未再生マーク461が付されている。
【００４１】
なお、図４では、番組情報表示領域230に録画日を表示させたが、これに変えて、そのコンテンツを再生した場合の再生終了予測時刻を表示こともできる。これは、番組(コンテンツ)が未視聴であった場合、現在時刻にそのコンテンツの時刻を足した時刻を表示する。再生し、途中で停止したコンテンツの場合、現在時刻に、途中から終了までの時間を足した再生終了予測時刻を表示することにより実現できる。
【００４２】
図４において、画面上部には、4chの番組が表示されているが、この放送中の番組表示中に「録画番組」アイコン201を選択すると、選択された番組(図４では、番組451)の再生を開始する。図５は、コンテンツ選択GUIの「録画番組」アイコン201で、録画されたタイトルを選択し、再生させたときの画面イメージ図である。図５では、画面上部210に、選択された番組451が表示される。但し、コンテンツ選択GUIは閉じない。図５の番組451には、図４で付されていた未再生マーク461が表示されなくなっているが、これは、制御部11が、番組451が再生を開始したことを検知して、未再生マーク461の表示を中止することにより実現できる。また、録画コンテンツ再生中に別の録画タイトルを選択する(例えば、No.025の「ニュース＆マーケットイレブン」)と、現在再生中のコンテンツ(番組451)の再生を停止し、別のコンテンツ(No.025)の再生を開始する。
【００４３】
図６は、コンテンツ選択GUIで「次の番組」アイコン203を選択し、予約したときの画面イメージ図である。図６において、例えば、AM11:10現在放送中の番組(例えば、3chの番組)が画面上部210に表示されている状態で、「次の番組」アイコン203を選択した場合、現在放送中の番組の次の番組の一覧を、番組情報表示領域230にGUIで表示する。これは、制御部11が、現時刻情報とEPG情報を基づき、現時刻以降の番組情報を番組情報表示領域230に表示させることにより実現できる。ここで、次の番組(例えば、番組651)を選択した場合、その番組を録画予約登録することができる。予約登録された番組には、時計を模した予約登録アイコン661が表示される。なお、すでに予約登録されている番組には、予約登録アイコン662が表示される。なお、番組情報表示領域230への番組情報の表示順は、おすすめ順でもよいし、放送開始時間順でもよい。また、放送開始時間順にした上で、予約登録アイコンが付されている番組は、下方に表示するようにしてもよい。
【００４４】
このとき、図６において、視聴中の放送番組(例えば、3ch)や録画コンテンツ(例えば、No.027)は、コンテンツ選択GUIの背面で画面上部210に表示したままとなるため、放送番組や録画コンテンツの視聴を続けながら予約登録を行うことができる。本GUIからの予約では、あらかじめ設定された条件で予約録画を行う。
【００４５】
図７は、同じ時間帯にすでに予約されており、予約できなかった場合の画面イメージ図である。画面上部210に現在放送中の番組を表示している状態で、画面下部220の番組情報表示領域230で8chの番組には予約登録アイコン661が付されている状態で、ユーザが14chの番組751を予約登録しようとした場合、8chの番組が11:25から12:30まで予約録画する場合、番組751の予約録画開始時間が重複すると制御部11が判断すると、図７に示すように、予約できない旨を示すアラート701を表示し、予約はできない。なお、複数のチューナを備える場合は、チューナ数の範囲内であれば、アラート701は表示されない。
【００４６】
図２から図７の画面下部220のコンテンツ選択GUIの表示は、図示しないリモコンの終了キーを押下することで終了する。
なお、番組表の情報を取得できない場合、もしくは番組表の表示が無効となっている場合、「今の番組」アイコン202、「次の番組」アイコン203ともにグレーアウトし、「録画番組」アイコン201のみ選択できる。
【００４７】
図８は、図２から図７の画面に対応した制御部11の状態遷移を示した状態遷移図である。
以上本実施例による効果は、下記の通りである。
・番組表から現在放送中の番組を選択して視聴する際、番組表を閉じることなく、チャンネルを切り換えることができるため、番組表の表示を繰り返して行う必要がなくなり、チャネルの切り換えをスムーズに行うことができる。
【００４８】
・コンテンツの一覧からHDD/DVD内に保存されたタイトルを選択して視聴する際、コンテンツの一覧を閉じることなく次々と別のタイトルを選択し、視聴することができるため、コンテンツ一覧の表示を繰り返して行う必要がなくなり、GUI表示のわずらわしさを軽減することができる。
【００４９】
・予約登録を行う際、背面に視聴中の番組、若しくは視聴中のタイトルを表示したまま、予約登録を行うことができるため、番組やタイトルの視聴が阻害されない。
【図面の簡単な説明】
【００５０】
【図１】本発明の一実施の形態による記録再生装置の概略構成図。
【図２】同実施の形態にかかわる放送番組表示中にコンテンツ選択GUIの「今の番組」アイコンを表示したときの画面イメージ図。
【図３】コンテンツ選択GUIの「今の番組」アイコンで別番組を選択したときの画面イメージ図。
【図４】コンテンツ選択GUIの「録画番組」アイコンを選択したときの画面イメージ図。
【図５】コンテンツ選択GUIの「録画番組」アイコンで、録画されたタイトルを選択し、再生させたときの画面イメージ図。
【図６】コンテンツ選択GUIで「次の番組」アイコンを選択し、予約したときの画面イメージ図。
【図７】同じ時間帯にすでに予約されており、予約できなかった場合の画面イメージ図。
【図８】コンテンツ選択GUIを表示させてから閉じるまでの状態遷移図。
【符号の説明】
【００５１】
1  記録再生装置
11  制御部
201  「録画番組」アイコン
202  「今の番組」アイコン
203  「次の番組」アイコン
210  画面上部
220  画面下部
230  番組情報表示領域
461，462  未再生マーク
661，662  予約登録アイコン
701  アラート
【図１】
2007324762.tif 000003
【図２】
2007324762.tif 000004
【図３】
2007324762.tif 000005
【図４】
2007324762.tif 000006
【図５】
2007324762.tif 000007
【図６】
2007324762.tif 000008
【図７】
2007324762.tif 000009
【図８】
2007324762.tif 000010